【手続補正書】
【提出日】令和3年3月16日(2021.3.16)
【手続補正１】
【補正対象書類名】明細書
【補正対象項目名】発明の名称
【補正方法】変更
【補正の内容】
【発明の名称】電子楽器、電子楽器の制御方法及びプログラム
【手続補正２】
【補正対象書類名】明細書
【補正対象項目名】０００１
【補正方法】変更
【補正の内容】
【０００１】
本発明は、電子楽器、電子楽器の制御方法及びプログラムに関するものである。
【手続補正３】
【補正対象書類名】明細書
【補正対象項目名】０００７
【補正方法】変更
【補正の内容】
【０００７】
そこで、本発明は、このような事情に鑑みなされたものであり、音程感覚が得られやすいレッスンモードを備える電子楽器、電子楽器の制御方法及びプログラムを提供することを目的とする。
【手続補正４】
【補正対象書類名】明細書
【補正対象項目名】０００８
【補正方法】変更
【補正の内容】
【０００８】
上記目的を達成するために、本発明の一態様の電子楽器は、各タイミングで指定すべき音高を示すデータを含む楽曲データに基づいて、前回のタイミングで指定すべき音高に対する今回のタイミングで指定すべき音高の音高変化の方向が、高音方向、低音方向及び、方向無、のうちのいずれの方向であるかを判別する方向判別処理と、前記前回のタイミングで操作された操作子で指定される音高に対する前記今回のタイミングで操作された操作子で指定される音高の音高変化の方向が、前記方向判別処理により判別された方向と一致するか否かを判定し、一致すると判定された場合に、前記今回のタイミングから次回のタイミングの前まで前記楽曲データの伴奏を進行させる伴奏進行処理と、を実行する。
【手続補正５】
【補正対象書類名】特許請求の範囲
【補正対象項目名】全文
【補正方法】変更
【補正の内容】
【特許請求の範囲】
【請求項１】
各タイミングで指定すべき音高を示すデータを含む楽曲データに基づいて、前回のタイミングで指定すべき音高に対する今回のタイミングで指定すべき音高の音高変化の方向が、高音方向、低音方向及び、方向無、のうちのいずれの方向であるかを判別する方向判別処理と、
前記前回のタイミングで操作された操作子で指定される音高に対する前記今回のタイミングで操作された操作子で指定される音高の音高変化の方向が、前記方向判別処理により判別された方向と一致するか否かを判定し、一致すると判定された場合に、前記今回のタイミングから次回のタイミングの前まで前記楽曲データの伴奏を進行させる伴奏制御処理と、
を実行する電子楽器。
【請求項２】
前記方向判別処理は、各タイミングで指定すべき音高が複数ある場合、各タイミングで指定すべき複数の音高の平均値に対応する音高を各タイミングで指定すべき音高として、前記音高変化の方向を判別し、
前記伴奏制御処理は、各タイミングで操作された操作子が複数ある場合、各タイミングで操作された複数の操作子で指定される複数の音高の平均値に対応する音高を、各タイミングで操作された操作子で指定される音高として、前記方向の一致を判定する、
請求項１に記載の電子楽器。
【請求項３】
前記伴奏制御処理は、前記方向が一致しないと判定された場合に、前記楽曲データの伴奏の進行を停止させる、
請求項１又は２に記載の電子楽器。
【請求項４】
前記伴奏進行処理は、前記前回のタイミングで指定すべき音高に対する前記今回のタイミングで操作された操作子で指定される音高が設定された範囲内である場合に、前記第２のタイミングから前記第３のタイミングの前まで前記楽曲データの伴奏を進行させる、
請求項１から３のいずれかに記載の電子楽器。
【請求項５】
前記伴奏進行処理は、前記前回のタイミングで操作された操作子で指定される音高に対する前記今回のタイミングで操作された操作子で指定される音高が設定された範囲内である場合に、前記第２のタイミングから前記第３のタイミングの前まで前記楽曲データの伴奏を進行させる、
請求項１から４のいずれかに記載の電子楽器。
【請求項６】
前記楽曲データは、第１のタイミングで指定すべき第１音高と、前記第１のタイミングの後の第２のタイミングで指定すべき第２音高と、前記第２のタイミングの後の第３のタイミングで指定すべき第３音高と、を示すデータを含み、
前記方向判別処理は、前記第１のタイミングで指定すべき前記第１音高に対する前記第２のタイミングで指定すべき前記第２音高の音高変化の方向が、高音方向、低音方向及び、方向無、のうちのいずれの方向であるかを判別する、
前記伴奏進行処理は、前記第２音高に対応する操作子を含み、前記第２音高に対応する操作子からみて設定された範囲内に配置されている操作子が前記第２のタイミングで操作された場合に、前記方向が一致すると判定して、前記第２のタイミングから前記第３のタイミングの前まで前記楽曲データの伴奏を進行させる、
請求項１から５のいずれかに記載の電子楽器。
【請求項７】
楽曲の第１タイミングに合わせて演奏者に操作されることが期待されている、第１ノートナンバーと対応付けられている第１操作子と、前記楽曲の前記第１タイミング後の第２タイミングに合わせて前記演奏者に操作されることが期待されている、第２ノートナンバーと対応付けられている第２操作子と、前記楽曲の前記第２タイミング後の第３タイミングに合わせて前記演奏者に操作されることが期待されている、第３ノートナンバーと対応付けられている第３操作子と、を含む複数の操作子と、
少なくとも１つのプロセッサと、
を備え、前記少なくとも１つのプロセッサは、
前記楽曲を示す、前記第１ノートナンバー、前記第２ノートナンバー、前記第３ノートナンバーを含む楽曲データに含まれる、前記第１ノートナンバー及び前記第２ノートナンバーに基づいて、少なくとも高音方向、低音方向及び、方向無、のいずれかの進行方向を判別し、
前記第２タイミングに合わせて前記演奏者に操作された操作子に対応付けられているノートナンバーと、前記演奏者にその前に操作された操作子に対応付けられているノートナンバーと、から得られる方向と、判別された前記進行方向と、が一致する場合に、前記第２タイミングから前記第３タイミングの前の音まで前記楽曲データに基づく楽音を発音させ、
前記第２タイミングに合わせて前記演奏者に操作された操作子に対応付けられているノートナンバーと、前記演奏者にその前に操作された操作子に対応付けられているノートナンバーと、から得られる方向と、判別された前記進行方向と、が一致しない場合に、前記第２タイミングから前記第３タイミングの前の音まで前記楽曲データに基づく楽音を発音させない、
電子楽器。
【請求項８】
電子楽器が、
各タイミングで指定すべき音高を示すデータを含む楽曲データに基づいて、前回のタイミングで指定すべき音高に対する今回のタイミングで指定すべき音高の音高変化の方向が、高音方向、低音方向及び、方向無、のうちのいずれの方向であるかを判別する方向判別処理と、
前記前回のタイミングで操作された操作子で指定される音高に対する前記今回のタイミングで操作された操作子で指定される音高の音高変化の方向が、前記方向判別処理により判別された方向と一致するか否かを判定し、一致すると判定された場合に、前記今回のタイミングから次回のタイミングの前まで前記楽曲データの伴奏を進行させる伴奏制御処理と、
を実行する電子楽器の制御方法。
【請求項９】
電子楽器のコンピュータに、
各タイミングで指定すべき音高を示すデータを含む楽曲データに基づいて、前回のタイミングで指定すべき音高に対する今回のタイミングで指定すべき音高の音高変化の方向が、高音方向、低音方向及び、方向無、のうちのいずれの方向であるかを判別する方向判別処理と、
前記前回のタイミングで操作された操作子で指定される音高に対する前記今回のタイミングで操作された操作子で指定される音高の音高変化の方向が、前記方向判別処理により判別された方向と一致するか否かを判定し、一致すると判定された場合に、前記今回のタイミングから次回のタイミングの前まで前記楽曲データの伴奏を進行させる伴奏制御処理と、
を実行させるプログラム。